【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
データ転送装置と無線接続して通信を行う通信装置であって、
前記データ転送装置と第１ネットワークを介して接続している間は第２ネットワークに接続ができない第１通信方式と、前記データ転送装置と接続している間でも前記第２ネットワークに接続できる第２通信方式とを含む、複数の通信方式を用いて前記データ転送装置と通信を行う通信手段と、
データ通信のための通信アプリケーションを実行する制御手段と、
前記通信手段を制御する通信制御手段と、を備え、
前記通信制御手段は、
前記通信アプリケーションを実行して前記第１通信方式により前記データ転送装置と接続している間に、前記通信アプリケーションの状態がバックグラウンドに移行すると、前記第１通信方式から前記第２通信方式に切り替えるように前記通信手段を制御することを特徴とする通信装置。
【請求項２】
前記通信手段は、前記第１通信方式により通信を行う第１通信手段と、前記第２通信方式により通信を行う第２通信手段と、を含み、
前記通信制御手段は、前記通信アプリケーションの状態がバックグラウンドに移行すると、前記第１通信手段が、前記第１通信方式により前記データ転送装置と接続して通信を行いながら、前記第２通信方式への切り替えを要求する信号を前記データ転送装置に送信することを特徴とする請求項１に記載の通信装置。
【請求項３】
前記通信制御手段は、前記データ転送装置から、前記第２通信方式への切り替えを要求する信号に対して許可する通知を受信すると、前記第１通信方式から前記第２通信方式に切り替えることを特徴とする請求項２に記載の通信装置。
【請求項４】
前記第２通信手段は、前記第２通信方式よりも低い電力で通信可能な第３通信方式による通信を行う第３通信手段を含むことを特徴とする請求項２に記載の通信装置。
【請求項５】
前記通信制御手段は、前記第１通信方式により接続された前記データ転送装置からデータ転送が完了すると、前記第１通信方式から前記第２通信方式に切り替えることを特徴とする請求項１に記載の通信装置。
【請求項６】
前記通信制御手段は、前記第２通信方式により接続された前記データ転送装置と通信を行っているときに、前記通信アプリケーションの状態がバックグラウンドからフォアグラウンドに復帰した場合、前記第２通信方式による前記データ転送装置との接続を切断し、前記第１通信方式により前記データ転送装置と接続することを特徴とする請求項１に記載の通信装置。
【請求項７】
前記通信制御手段は、前記第２通信方式により接続された前記データ転送装置と通信を行っているときに、前記通信アプリケーションの状態がバックグラウンドからフォアグラウンドに復帰した場合、所定の時間が経過してから前記データ転送装置との接続を前記第２通信方式から前記第１通信方式に切り替えることを特徴とする請求項１に記載の通信装置。
【請求項８】
前記通信制御手段は、前記データ転送装置との通信中に前記通信アプリケーションの状態がフォアグラウンドとバックグラウンドを繰り返す場合は、所定の時間が経過してから前記データ転送装置との接続を前記第２通信方式から前記第１通信方式に切り替えることを特徴とする請求項１に記載の通信装置。
【請求項９】
前記通信制御手段は、前記第１通信方式と前記第２通信方式との間で前記データ転送装置との接続を切り替える場合、その時点で転送中のデータの転送が完了した後に通信方式を切り替えて残りのデータ転送を行うことを特徴とする請求項１から８のいずれか１項に記載の通信装置。
【請求項１０】
通信装置と第１ネットワークを介して接続している間は第２ネットワークに接続ができない第１通信方式と、前記通信装置と接続している間でも前記第２ネットワークに接続できる第２通信方式とを含む、複数の通信方式により通信可能な通信手段と、
前記複数の通信方式のいずれかにより前記通信装置との接続および前記通信装置へのデータ転送を行う制御手段と、
前記通信装置から前記通信方式の切り替え要求を受けた場合に、当該通信方式を切り替える条件を判定する判定手段と、を有し、
前記制御手段は、前記条件を満たすと判定した場合、前記通信方式の切り替えを許可する通知を前記通信装置に送信し、
前記条件を満たさないと判定した場合、前記通信方式の切り替えを許可しない通知を前記通信装置に送信することを特徴とするデータ転送装置。
【請求項１１】
前記切り替え要求は、前記第２通信方式から前記第１通信方式に前記通信方式を切り替える要求であり、
前記条件は、前記第１通信方式のスループット、前記第２通信方式のスループット、前記第１通信方式から前記第２通信方式への切り替え時間、転送されるデータ量のうち少なくともいずれかを含むことを特徴とする請求項１０に記載のデータ転送装置。
【請求項１２】
前記判定手段は、前記通信方式を切り替えた場合に切り替えない場合よりもデータ転送が完了するまでの時間が短くなる場合は、前記条件を満たすと判定することを特徴とする請求項１１に記載のデータ転送装置。
【請求項１３】
前記第１通信方式は、前記第２ネットワークとの接続ができるゲートウェイ機能を持たない簡易的なネットワークであり、
前記制御手段は、前記切り替え要求を受けた場合に予め前記簡易的なネットワークを形成しておき、当該ネットワークへの接続処理が完了した後に、前記通信方式を切り替えることを特徴とする請求項１１または１２に記載のデータ転送装置。
【請求項１４】
前記制御手段は、前記切り替え要求を受けた場合、その時点で転送中のデータの転送が完了した後に前記通信装置に対して前記通信方式の切り替えを許可する通知を送信することを特徴とする請求項１０から１３のいずれか１項に記載のデータ転送装置。
【請求項１５】
前記データ転送装置は、前記通信装置に画像を転送する撮像装置であり、
前記通信装置は、前記第２通信方式により接続された前記データ転送装置から画像を取り込みながら当該画像を前記第２ネットワークを介してアップロードすることが可能であることを特徴とする請求項１０から１４のいずれか１項に記載のデータ転送装置。
【請求項１６】
データ転送装置と第１ネットワークを介して接続している間は第２ネットワークに接続ができない第１通信方式と、前記データ転送装置と接続している間でも前記第２ネットワークに接続できる第２通信方式とを含む、複数の通信方式を用いて前記データ転送装置と無線通信を行う通信手段を有する通信装置の制御方法であって、
データ通信のための通信アプリケーションを実行するステップと、
前記通信アプリケーションを実行して前記第１通信方式により前記データ転送装置と接続している間に、前記通信アプリケーションの状態がバックグラウンドに移行すると、前記第１通信方式から前記第２通信方式に切り替えるように前記通信手段を制御するステップと、を有することを特徴とする制御方法。
【請求項１７】
通信装置と第１ネットワークを介して接続している間は第２ネットワークに接続ができない第１通信方式と、前記通信装置と接続している間でも前記第２ネットワークに接続できる第２通信方式とを含む、複数の通信方式により通信可能な通信手段と、前記複数の通信方式のいずれかにより前記通信装置との接続および前記通信装置へのデータ転送を行う制御手段と、を有するデータ転送装置の制御方法であって、
前記通信装置から前記通信方式の切り替え要求を受けた場合に、当該通信方式を切り替える条件を判定するステップと、
前記条件を満たすと判定された場合、前記通信方式の切り替えを許可する通知を前記通信装置に送信し、
前記条件を満たさないと判定された場合、前記通信方式の切り替えを許可しない通知を前記通信装置に送信するステップと、を有すことを特徴とする制御方法。
【請求項１８】
コンピュータを、請求項１から９のいずれか１項に記載された通信装置の各手段として機能させるためのプログラム。
【請求項１９】
コンピュータを、請求項１０から１５のいずれか１項に記載されたデータ転送装置の各手段として機能させるためのプログラム。
【手続補正２】
【補正対象書類名】明細書
【補正対象項目名】０００８
【補正方法】変更
【補正の内容】
【０００８】
上記課題を解決し、目的を達成するために、本発明の通信装置は、データ転送装置と無線接続して通信を行う通信装置であって、前記データ転送装置と第１ネットワークを介して接続している間は第２ネットワークに接続ができない第１通信方式と、前記データ転送装置と接続している間でも前記第２ネットワークに接続できる第２通信方式とを含む、複数の通信方式を用いて前記データ転送装置と通信を行う通信手段と、データ通信のための通信アプリケーションを実行する制御手段と、前記通信手段を制御する通信制御手段と、を備え、前記通信制御手段は、前記通信アプリケーションを実行して前記第１通信方式により前記データ転送装置と接続している間に、前記通信アプリケーションの状態がバックグラウンドに移行すると、前記第１通信方式から前記第２通信方式に切り替えるように前記通信手段を制御する。
【手続補正３】
【補正対象書類名】明細書
【補正対象項目名】０００９
【補正方法】変更
【補正の内容】
【０００９】
また、本発明のデータ転送装置は、通信装置と第１ネットワークを介して接続している間は第２ネットワークに接続ができない第１通信方式と、前記通信装置と接続している間でも前記第２ネットワークに接続できる第２通信方式とを含む、複数の通信方式により通信可能な通信手段と、前記複数の通信方式のいずれかにより前記通信装置との接続および前記通信装置へのデータ転送を行う制御手段と、前記通信装置から前記通信方式の切り替え要求を受けた場合に、当該通信方式を切り替える条件を判定する判定手段と、を有し、前記制御手段は、前記条件を満たすと判定した場合、前記通信方式の切り替えを許可する通知を前記通信装置に送信し、前記条件を満たさないと判定した場合、前記通信方式の切り替えを許可しない通知を前記通信装置に送信する。
【手続補正４】
【補正対象書類名】明細書
【補正対象項目名】００３８
【補正方法】変更
【補正の内容】
【００３８】
公衆網接続部２１４は、３Ｇ／ＬＴＥ等の広域ネットワーク（ＷＡＮ）を介して無線通信を行う際に用いられるインターフェースである。スマートデバイス２００は、公衆網接続部２１４を介して、他の機器と通話をしたり、データ通信をすることができる。通話の際には、制御部２０１はマイク２１５およびスピーカ２１６を介して音声信号の入力と出力を行う。本実施形態では、公衆網接続部２１４は３ＧやＬＴＥに限らず、ＷｉＭＡＸ、ＡＤＳＬ、ＦＴＴＨといった他の通信方式を用いてもよい。本実施形態では、公衆網接続部２１４はアンテナであり、制御部２０１は、アンテナを介して、公衆網に接続することができる。なお、通信部２１１および公衆網接続部２１４は必ずしも独立したハードウェアで構成する必要はなく、例えば１つのアンテナで兼用することも可能である。
【手続補正５】
【補正対象書類名】明細書
【補正対象項目名】００４７
【補正方法】変更
【補正の内容】
【００４７】
Ｓ４１５においてデジタルカメラ１００から通信方式切替可能通知を受信すると、Ｓ４１６においてスマートデバイス２００はデジタルカメラ１００へ無線ＬＡＮの切断通知を送信する。Ｓ４１７では、デジタルカメラ１００へ無線ＬＡＮの切断通知を送信したスマートデバイス２００はＢＴＣ機器探索を開始する。Ｓ４１８では、デジタルカメラ１００はＢＴＣ機器探索に応答し、Ｓ４１９ではＢＴＣ接続処理を行い、無線ＬＡＮからＢＴＣへの通信方式の切り替えが完了する。Ｓ４２０ではスマートデバイス２００はＢＴＣにより画像転送要求を送信し、Ｓ４２１においてスマートデバイス２００から画像転送要求を受信したデジタルカメラ１００は画像転送準備を行い、Ｓ４２２においてスマートデバイス２００へ画像転送を行う。Ｓ４２０からＳ４２２の処理はデジタルカメラ１００からスマートデバイス２００へ全ての転送待ち画像の転送が終了するまで繰り返し行う。Ｓ４２３において画像の転送が終了すると、Ｓ４２４においてＢＴＣの切断通知を送信し、ＢＴＣの接続が切断される。
【手続補正６】
【補正対象書類名】明細書
【補正対象項目名】００５２
【補正方法】変更
【補正の内容】
【００５２】
Ｓ５１３ではデジタルカメラ１００は画像の転送準備を行い、Ｓ５１４において画像データの転送処理を行う。全ての転送待ち画像の転送が終了するまでＳ５１２からＳ５１４の処理が繰り返される。Ｓ５１５においてデジタルカメラ１００は全ての転送待ち画像の転送が終了すると、Ｓ５１６においてスマートデバイス２００は、デジタルカメラ１００に無線ＬＡＮの切断通知を送信する。
【手続補正７】
【補正対象書類名】明細書
【補正対象項目名】００７１
【補正方法】変更
【補正の内容】
【００７１】
Ｓ９０３において通信方式の切り替え条件を満たしている場合（無線ＬＡＮへ切り替えた方が転送時間は短い）、制御部１０１は、Ｓ９０４においてスマートデバイス２００に通信方式切替許可通知を送信する。Ｓ９０５では、制御部１０１は、スマートデバイス２００とのＢＴＣの接続を切断し、Ｓ９０６において無線ＬＡＮの簡易ＡＰを起動し、Ｓ９０７においてスマートデバイス２００と無線ＬＡＮ接続を確立する。また、Ｓ９０３において通信方式の切り替え条件を満たしていない場合は、制御部１０１は、Ｓ９１１においてスマートデバイス２００へ通信方式切替不可通知を送信する。
【手続補正８】
【補正対象書類名】明細書
【補正対象項目名】００８３
【補正方法】変更
【補正の内容】
【００８３】
Ｓ１１０３からＳ１１０６では、図９のＳ９０３からＳ９０５、Ｓ９０８と同様に、通信方式の切り替え条件の判定結果に応じて、スマートデバイス２００へ通信方式切替許可の送信、ＢＴＣの接続を切断する。
【手続補正９】
【補正対象書類名】図面
【補正対象項目名】図５
【補正方法】変更
【補正の内容】
【図５】
2019161507.tif 000001